(57)【要約】【課題】  本発明は足湯容器内の温水の洗浄水を循環させて、楽しく使用できるとともに、循環中に天然鉱石によって洗浄水をミネラル化して、足浴効果を向上させることができる足湯装置を得るにある。【解決手段】  両足のひざ下付近まで入れることができる足湯容器と、この足湯容器内に収納された温水の洗浄水を、該足湯容器の中央部に立設状態で設けられた支柱の上部の排出管より排出して循環させることができる洗浄水循環装置と、この洗浄水循環装置の排出管の上部に洗浄水が通過するように設けられた、該洗浄水をミネラル化することができる天然鉱石を着脱可能に収納することができる天然鉱石収納容器とで足湯装置を構成している。【選択図】  図４
2009201531.tif 000002
【特許請求の範囲】
【請求項１】
両足のひざ下付近まで入れることができる足湯容器と、この足湯容器内に収納された温水の洗浄水を、該足湯容器の中央部に立設状態で設けられた支柱の上部の排出管より排出して循環させることができる洗浄水循環装置と、この洗浄水循環装置の排出管の上部に洗浄水が通過するように設けられた、該洗浄水をミネラル化することができる天然鉱石を着脱可能に収納することができる天然鉱石収納容器とからなることを特徴とする足湯装置。
【請求項２】
足湯容器には該足湯容器の底面より洗浄水中へ気泡を供給することができる気泡供給装置が設けられていることを特徴とする請求項１記載の足湯装置。
【請求項３】
足湯容器には洗浄水循環装置で循環させる洗浄水を所定の温度に加熱することができる加熱装置が設けられているとともに、洗浄水循環装置の支柱の上部に位置する排出管は排出パイプが接続できるように形成されていることを特徴とする請求項１、２いずれかに記載の足湯装置。
【発明の詳細な説明】
【技術分野】
【０００１】
本発明は両足のひざ下付近まで温水の洗浄水につけて足浴する足湯装置に関する。
【背景技術】
【０００２】
従来の足湯装置は両足を両足のひざ下付近まで入れることができるバケツ状の容器にお湯を入れて使用するように構成されていた。
【０００３】
このため、バケツ状の容器内へお湯を入れたり、出したりする作業が大変であるという欠点があるとともに、バケツに入れたお湯を静止状態での使用となるので面白味に欠け、薬湯を用いた場合に、均一なお湯にならないという欠点があった。
【特許文献１】特開２００３−１８０７８９
【発明の開示】
【発明が解決しようとする課題】
【０００４】
本発明は以上のような従来の欠点に鑑み、足湯容器内の温水の洗浄水を循環させて、楽しく使用できるとともに、循環中に天然鉱石によって洗浄水をミネラル化して、足浴効果を向上させることができる足湯装置を提供することを目的としている。
【０００５】
また、本発明は洗浄水の循環や気泡の発生により、マッサージ効果が得られるとともに、容易に足湯容器内の洗浄水を、排出パイプを用いて洗浄水循環装置で楽に排水することができる足湯装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は両足のひざ下付近まで入れることができる足湯容器と、この足湯容器内に収納された温水の洗浄水を、該足湯容器の中央部に立設状態で設けられた支柱の上部の排出管より排出して循環させることができる洗浄水循環装置と、この洗浄水循環装置の排出管の上部に洗浄水が通過するように設けられた、該洗浄水をミネラル化することができる天然鉱石を着脱可能に収納することができる天然鉱石収納容器とで足湯装置を構成している。
【発明の効果】
【０００８】
以上の説明から明らかなように、本発明にあっては次に列挙する効果が得られる。
【０００９】
（１）両足のひざ下付近まで入れることができる足湯容器と、この足湯容器内に収納された温水の洗浄水を、該足湯容器の中央部に立設状態で設けられた支柱の上部の排出管より排出して循環させることができる洗浄水循環装置と、この洗浄水循環装置の排出管の上部に洗浄水が通過するように設けられた、該洗浄水をミネラル化することができる天然鉱石を着脱可能に収納することができる天然鉱石収納容器とで構成されているので、両足のひざ下付近まで入れることができる足湯容器内の温水の洗浄水を洗浄水循環装置で循環させて使用することができる。
したがって、常に均一な温水状態で循環するので、十分な足浴効果が得られ、楽しく使用することができる。
【００１０】
（２）前記（１）によって、洗浄水が通過するように天然鉱石を着脱可能に天然鉱石収納容器に収納することができるので、温水の洗浄水の循環によって、効率よく洗浄水をミネラル化することができる。
したがって、効率よく足浴を行なうことができる。
【００１１】
（３）前記（１）によって、天然鉱石を通過する洗浄水は温水であるため、効率よく天然鉱石よりミネラルを溶出させることができる。
【００１２】
（４）請求項２は前記（１）〜（３）と同様な効果が得られるとともに、気泡供給装置によって、足浴中に気泡によるマッサージ効果が得られ、より効率よく足浴を楽しむことができる。
【００１３】
（５）請求項３も前記（１）〜（３）と同様な効果が得られるとともに、洗浄水循環装置の排出管に排出パイプを接続して、洗浄水循環装置を作動させることにより、足湯容器内の洗浄水を効率よく排水することができる。
したがって、楽に排水することができる。
【発明を実施するための最良の形態】
【００１４】
以下、図面に示す本発明を実施するための最良の形態により、本発明を詳細に説明する。
【００１５】
図１ないし図１２に示す本発明を実施するための最良の第１の形態において、１は温水を循環させながらミネラル水にして足浴を行なうことができる足湯装置で、この足湯装置１は両足のひざ下付近まで入れることができる足湯容器２と、この足湯容器２内に収納された水あるいは温水の洗浄水３を、該足湯容器２の中央部に立設状態で設けられた支柱４の上部の排出管５より排出して循環させることができる洗浄水循環装置６と、この洗浄水循環装置６の排出管５の上部に洗浄水が通過するように設けられた、該洗浄水をミネラル化することができる天然鉱石７を着脱可能に収納することができる天然鉱石収納容器８と、前記足湯容器２の底面より洗浄水中へ気泡を供給する気泡供給装置９と、前記支柱４の上部に位置する排出管５に接続することができる排出パイプ１０と、前記足湯容器２の上部上面に設けられた制御板１１を有する制御回路１２と、前記足湯容器２内の洗浄水３を所定の温度に加熱することができる加熱装置１３と、前記足湯容器２の上面を不使用時に覆う着脱可能なカバー１４とで構成されている。
【００１６】
前記足湯容器２は外側ケース１５と、この外側ケース１５との下部と前部に機器収納凹部１６、１７が形成できるように、該外側ケース１５の上部フランジ部１８に複数本のビス１９で固定された、前記支柱４および制御板取付部２０を有する内側ケース２１と、この内側ケース２１の内底面に中央部に噴射ノズル挿入部２２、２２を有する上面に多数個の刺激付与突起２３、２３を有するマット２４、２４とで構成されている。
【００１７】
前記洗浄水循環装置６は前記内側ケース２１の支柱４の下部部位より洗浄水を吸い込み、支柱４の上部排出管５へ導くホース２５と、このホース２５に介装されたウォータポンプ２６とで構成されている。
【００１８】
前記天然鉱石収納容器８は前記支柱４の上部に着脱可能に取付けることができる筒状の天然鉱石収納容器本体２７と、この天然鉱石収納容器本体２７内に位置する排出管５に取付けられるフィルターキャップ２８と、このフィルターキャップ２８上に位置されるネット袋２９に収納されたナトリウム、カルシウム、マグネシウム、カリウム等が溶出する天然鉱石７と、前記天然鉱石収納容器本体２７の外周部に斜め下方へ開口する多数個の透孔３０ができてシャワー状に洗浄水を噴射させることができる、該天然鉱石収納容器本体２７の上面に着脱可能に取付けられるキャップ３１とで構成されている。
【００１９】
前記気泡供給装置９は前記前部機器収納凹部１７に位置するように前記内側ケース２１に固定されたエアーポンプ３２と、前記内側ケース２１の支柱４の両側部位の底面のマット２４、２４の噴射ノズル挿入孔２２、２２に水漏れしないように設けられた複数個の突起２３間に透孔３３が位置する複数個の透孔３３が形成された棒状の噴射ノズル３４、３４と、この噴射ノズル３４、３４の透孔３３、３３へ前記エアーポンプ３２からのエアーを供給するエアー供給ホース３５、３５とで構成されている。
【００２０】
前記加熱装置１３は前記内側ケース２１の支柱４の下部位置と、この下部位置と対応する内壁面との間に設けられたヒータ３６と、前記足湯容器２内の洗浄水３の温度を測定する温度センサ３７と、前記ヒータ３６の上部を覆うように前記内側ケース２１に着脱可能に取付けられた多数個の透孔３８が形成されたヒータカバー３９とで構成されている。
【００２１】
前記制御板１１は前記加熱装置１３のヒータ３６をＯＮ、ＯＦＦするＯＮ／ＯＦＦスイッチ釦４０と、前記気泡供給装置９のエアーポンプ３２をＯＮ、ＯＦＦする気泡スイッチ釦４１と、前記洗浄水循環装置６のウォータポンプ２６をＯＮ、ＯＦＦする噴水スイッチ釦４２と、洗浄水の温度を１回、２回、３回と押すことにより、あらかじめ設定された温度に設定することができる温度設定釦４３と、使用する時間を１回、２回、３回と押すことにより、あらかじめ設定された時間だけ加熱装置１３、気泡供給装置９、洗浄水循環装置６を駆動させることができる時間設定釦４４と、前記温度設定釦４３の操作後に操作することにより、設定された温度を所定温度、例えば１度ごと上下に設定することができるとともに、前記時間設定釦４４の操作後に操作することにより、設定された時間を所定時間、例えば１分ごと上下に設定することができる＋、−操作釦４５、４６と、排出管５に排出パイプ１０を接続した後、前記洗浄水循環装置６のウォータポンプ２６を駆動させる排水スイッチ釦４７と、気泡、噴水、排水、時間、設定温度、水温を表示することができる表示器４８とで構成されている。
【００２２】
上記構成の足湯装置１は天然鉱石収納容器本体２７のキャップ３１を外して内部にネット袋２９に収納された天然鉱石７を収納し、キャップ３１を取付ける。
しかる後、コード４９の先端部の差し込み５０を商用電源のコンセントに接続するとともに、足湯容器２内に水またはお湯の洗浄水３を限度水位目安線５１まで入れ、ＯＮ／ＯＦＦスイッチ釦４０をＯＮして、加熱装置１３のヒータ３６で洗浄水３を加熱できる状態にするとともに、気泡スイッチ釦４１をＯＮして気泡供給装置９のエアーポンプ３２を駆動させ、洗浄水中に気泡を放出して洗浄水を混合し、均一な温度にする。
次に噴水スイッチ釦４２をＯＮして洗浄水循環装置６のウォータポンプ２６を駆動させて、足湯容器２内の下部位置より洗浄水を吸い込んでホース２５、フィルターキャップ２８、天然鉱石７を通過して、多数個の透孔３０より足湯容器２内へシャワー状に噴出されて循環させる。
この時、天然鉱石７を通過する洗浄水３には、天然鉱石７よりミネラルが溶出して、新陳代謝が良くなるミネラル水になる。
次に温度設定釦４３を操作すると、あらかじめ設定された温度に設定することができるとともに、この設定温度より細かい設定温度にするためには＋、−操作釦４５、４６を操作して設定温度を設定する。
また、使用時間を設定する場合、時間設定釦４４を操作すると、あらかじめ設定された時間に設定され、この設定時間より細かい時間設定をする場合には＋、−操作釦４５、４６を操作して設定時間を設定する。
この状態で両足を足湯容器２内に挿入して、気泡、ミネラルを含む温水の洗浄水で足浴を楽しむことができる。
足浴が終了するとＯＮ／ＯＦＦスイッチ釦４０をＯＦＦにして、天然鉱石収納容器８を取り外すことにより、排出管５の先端部が突出した状態となり、該排出管５に排水パイプ１０を接続して先端部をバケツや排水場へ位置させ、排水スイッチ釦４７をＯＮして洗浄水循環装置６のウォータポンプ２６を駆動させることにより、足湯容器２内の洗浄水３は排出パイプ１０より容易に排出することができる。
【００２３】
なお、ＯＮ／ＯＦＦスイッチ釦４０をＯＮすると自動的に気泡スイッチ釦４１がＯＮ状態となり、温度設定や時間設定となり、あらかじめ設定された温度や時間以外に設定したい場合には温度設定釦４３と＋、−操作釦４５、４６を操作して設定したり、時間設定釦４４と＋、−操作釦４５、４６を操作して設定できるような制御回路を用いてもよい。
[発明を実施するための異なる形態]
【００２４】
次に、図１３ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２５】
図１３および図１４に示す本発明を実施するための第２の形態において、前記本発明を実施するための最良の第１の形態と主に異なる点は、気泡スイッチ釦、噴水スイッチ釦、時間設定釦のない制御板１１Ａを用いて、ＯＮ／ＯＦＦスイッチ釦４０をＯＮすると、自動的に気泡供給装置９、洗浄水循環装置６がＯＮ状態となって作動するようにした点で、このような足湯装置１Ａにしても、前記本発明を実施するための最良の第１の形態と同様な作用効果が得られるとともに、使用者の操作が容易になる。
なお、この場合、使用者は足浴の終了はＯＮ／ＯＦＦスイッチ釦４０をＯＦＦ操作で行なう。また、排水スイッチ釦４７だけをＯＮ操作することにより、洗浄水循環装置６がＯＮとなり、作動するような制御回路を用いる。
【００２６】
図１５ないし図１７に示す本発明を実施するための第３の形態において、前記本発明を実施するための最良の第１の形態と主に異なる点は、底面に排出管５の挿入筒５２が形成され、該挿入筒５２の上部にフィルター５３が取付けられた上部開口５４の天然鉱石収納容器本体２７Ａと、この天然鉱石収納容器本体２７Ａ内に収納される天然鉱石７と、前記天然鉱石収納容器本体２７Ａの上部寄りの部位に形成された斜め下方へ開口して、噴射状に洗浄水を排出することができる多数個の透孔３０と、前記天然鉱石収納容器本体２７Ａの上部開口５４を着脱可能に覆うキャップ３１Ａとからなる天然鉱石収納容器８Ａを用いた点で、このように形成された天然鉱石収納容器８Ａを用いると、直接天然鉱石７を天然鉱石収納容器本体２７Ａへ収納でき、楽な天然鉱石７の取り扱いができる足湯装置１Ｂにできる。
【産業上の利用可能性】
【００２７】
本発明は足浴を楽しむことができる足湯装置を製造する産業で利用される。
【図面の簡単な説明】
【００２８】
【図１】本発明を実施するための最良の第１の形態の平面図。
【図２】本発明を実施するための最良の第１の形態の正面図。
【図３】本発明を実施するための最良の第１の形態の側面図。
【図４】図１の４−４線に沿う断面図。
【図５】本発明を実施するための最良の第１の形態の足湯容器の分解斜視図。
【図６】本発明を実施するための最良の第１の形態の洗浄水循環装置の概略説明図。
【図７】本発明を実施するための最良の第１の形態の天然鉱石収納容器の説明図。
【図８】本発明を実施するための最良の第１の形態の気泡供給装置の概略説明図。
【図９】本発明を実施するための最良の第１の形態の加熱装置の概略説明図。
【図１０】本発明を実施するための最良の第１の形態の概略の回路ブロック図。
【図１１】本発明を実施するための最良の第１の形態の使用状態の説明図。
【図１２】本発明を実施するための最良の第１の形態の排水状態の説明図。
【図１３】本発明を実施するための第２の形態の平面図。
【図１４】本発明を実施するための第２の形態の概略回路ブロック図。
【図１５】本発明を実施するための第３の形態の平面図。
【図１６】図１５の１６−１６線に沿う断面図。
【図１７】本発明を実施するための第３の形態の天然鉱石収納容器の説明図。
【符号の説明】
【００２９】
１、１Ａ、１Ｂ：足湯装置、        ２：足湯容器、
３：洗浄水、                  ４：支柱、
５：排出管、                  ６：洗浄水循環装置、
７：天然鉱石、                ８、８Ａ：天然鉱石収納容器、
９：気泡供給装置、            １０：排出パイプ、
１１、１１Ａ：制御板、        １２：制御回路、
１３：加熱装置、              １４：カバー、
１５：外側ケース、            １６：下部機器収納凹部、
１７：前部機器収納凹部、      １８：上部フランジ部、
１９：ビス、                  ２０：制御板取付部、
２１：内側ケース、            ２２：噴射ノズル挿入孔、
２３：刺激付与突起、          ２４：マット、
２５：ホース、                ２６：ウォータポンプ、
２７、２７Ａ：天然鉱石収納容器本体、
２８：フィルターキャップ、    ２９：ネット袋、
３０：透孔、                  ３１、３１Ａ：キャップ、
３２：エアーポンプ、          ３３：透孔、
３４：噴射ノズル、            ３５：エアー供給ホース、
３６：ヒータ、                ３７：温度センサ、
３８：透孔、                  ３９：ヒータカバー、
４０：ＯＮ／ＯＦＦスイッチ釦、４１：気泡スイッチ釦、
４２：噴水スイッチ釦、        ４３：温度設定釦、
４４：時間設定釦、            ４５：＋操作釦、
４６：−操作釦、              ４７：排水スイッチ釦、
４８：表示器、                ４９：コード、
５０：差し込み、              ５１：限度水位目安線、
５２：挿入筒、                ５３：フィルター、
５４：開口。
【図１】
2009201531.tif 000003
【図２】
2009201531.tif 000004
【図３】
2009201531.tif 000005
【図４】
2009201531.tif 000006
【図５】
2009201531.tif 000007
【図６】
2009201531.tif 000008
【図７】
2009201531.tif 000009
【図８】
2009201531.tif 000010
【図９】
2009201531.tif 000011
【図１０】
2009201531.tif 000012
【図１１】
2009201531.tif 000013
【図１２】
2009201531.tif 000014
【図１３】
2009201531.tif 000015
【図１４】
2009201531.tif 000016
【図１５】
2009201531.tif 000017
【図１６】
2009201531.tif 000018
【図１７】
2009201531.tif 000019